(57)【要約】      （修正有）【課題】術後の眼内レンズの位置を良好に推定できる眼内レンズ度数決定装置、および眼内レンズ度数決定プログラムを提供する。【解決手段】眼内レンズ度数決定装置であって、被検眼の前眼部断層画像を撮影する断層撮影手段と、前記前眼部断層画像を解析して、前記被検眼に挿入する眼内レンズの度数を算出する演算制御手段と、を備え、前記演算制御手段は、前記前眼部断層画像から水晶体前面に沿う前面カーブまたは水晶体後面に沿う後面カーブの一方もしくは両方を求め、前記被検眼に挿入する前の眼内レンズの支持部を含む全長を示す線分の両端が前記前面カーブまたは前記後面カーブと交わる位置に基づいて術後予測前房深度を推定し、前記術後予測前房深度を用いて前記眼内レンズの度数を算出することを特徴とする。【選択図】図４
2018019915.tif 000002
【特許請求の範囲】
【請求項１】
眼内レンズ度数決定装置であって、
被検眼の前眼部断層画像を撮影する断層撮影手段と、
前記前眼部断層画像を解析して、前記被検眼に挿入する眼内レンズの度数を算出する演算制御手段と、を備え、
前記演算制御手段は、前記前眼部断層画像から水晶体前面に沿う前面カーブまたは水晶体後面に沿う後面カーブの一方もしくは両方を求め、前記被検眼に挿入する前の眼内レンズの支持部を含む全長を示す線分の両端が前記前面カーブまたは前記後面カーブと交わる位置に基づいて術後予測前房深度を推定し、前記術後予測前房深度を用いて前記眼内レンズの度数を算出することを特徴とする眼内レンズ度数決定装置。
【請求項２】
前記全長を示す線分の両端が前記前面カーブと交わる第１の位置と、前記線分の両端が前記後面カーブと交わる第２の位置を算出し、前記第１の位置と、前記第２の位置との間の位置に基づいて前記術後予測前房深度を推定することを特徴とする請求項１の眼内レンズ度数決定装置。
【請求項３】
前記第１の位置と、前記第２の位置との中間の位置に基づいて前記術後予測前房深度を推定することを特徴とする請求項２の眼内レンズ度数決定装置。
【請求項４】
前記被検眼に挿入する眼内レンズの全長の数値を取得する全長取得手段をさらに備えることを特徴とする請求項１〜３のいずれかの眼内レンズ度数決定装置。
【請求項５】
眼内レンズ度数決定装置において実行される眼内レンズ度数決定プログラムであって、前記眼内レンズ度数決定装置において実行されることで、
被検眼の前眼部断層画像を撮影する断層撮影ステップと、
前記断層撮影ステップにおいて撮影された前記前眼部断層画像から水晶体前面に沿う前面カーブまたは水晶体後面に沿う後面カーブの一方もしくは両方を求め、前記被検眼に挿入する前の前記眼内レンズの支持部を含む全長を示す線分の両端が前記前面カーブまたは前記後面カーブと交わる位置に基づいて術後予測前房深度を推定し、前記術後予測前房深度を用いて前記眼内レンズの度数を算出する算出ステップを前記眼内レンズ度数決定装置に実行させることを特徴とする眼内レンズ度数決定プログラム。
【発明の詳細な説明】
【技術分野】
【０００１】
本開示は、被検眼に挿入する眼内レンズの度数を決定するための眼内レンズ度数決定装置、および眼内レンズ度数決定プログラムに関する。
【背景技術】
【０００２】
水晶体が白濁することによって、視力低下等の症状が引き起こされる白内障が知られている。白内障手術においては、水晶体核および皮質の除去後に被検眼の眼内に挿入される眼内レンズ（以下、ＩＯＬともいう）のパワー（以下、度数ともいう）を決定する必要がある（特許文献１参照）。
【０００３】
眼内レンズ度数を決定するためには、術後予測前房深度（術後に眼内レンズが固定される位置）を推定することが重要となる。
【先行技術文献】
【特許文献】
【０００４】
【特許文献１】特表２００７−５０５７１６号公報
【発明の概要】
【発明が解決しようとする課題】
【０００５】
しかしながら、従来において、術後予測前房深度を好適に推定することは難しく、眼内レンズ挿入後に適正な視力が得られない場合があった。
【０００６】
本開示は、従来の問題点に鑑み、術後の眼内レンズの位置を良好に推定できる眼内レンズ度数決定装置、および眼内レンズ度数決定プログラムを提供することを技術課題とする。
【課題を解決するための手段】
【０００７】
上記課題を解決するために、本開示は以下のような構成を備えることを特徴とする。
【０００８】
（１）  眼内レンズ度数決定装置であって、被検眼の前眼部断層画像を撮影する断層撮影手段と、前記前眼部断層画像を解析して、前記被検眼に挿入する眼内レンズの度数を算出する演算制御手段と、を備え、前記演算制御手段は、前記前眼部断層画像から水晶体前面に沿う前面カーブまたは水晶体後面に沿う後面カーブの一方もしくは両方を求め、前記被検眼に挿入する前の眼内レンズの支持部を含む全長を示す線分の両端が前記前面カーブまたは前記後面カーブと交わる位置に基づいて術後予測前房深度を推定し、前記術後予測前房深度を用いて前記眼内レンズの度数を算出することを特徴とする。
（２）  眼内レンズ度数決定装置において実行される眼内レンズ度数決定プログラムであって、前記眼内レンズ度数決定装置において実行されることで、被検眼の前眼部断層画像を撮影する断層撮影ステップと、前記断層撮影ステップにおいて撮影された前記前眼部断層画像から水晶体前面に沿う前面カーブまたは水晶体後面に沿う後面カーブの一方もしくは両方を求め、前記被検眼に挿入する前の前記眼内レンズの支持部を含む全長を示す線分の両端が前記前面カーブまたは前記後面カーブと交わる位置に基づいて術後予測前房深度を推定し、前記術後予測前房深度を用いて前記眼内レンズの度数を算出する算出ステップを前記眼内レンズ度数決定装置に実行させることを特徴とする。
【図面の簡単な説明】
【０００９】
【図１】本実施例に係る前眼部撮影装置の構成について説明する概略構成図である。
【図２】撮像された前眼部像が表示された前眼部観察画面を示す図である。
【図３】前眼部断層画像の一例を示す図である。
【図４】ＥＬＰの推定について説明するための図である。
【発明を実施するための形態】
【００１０】
＜実施形態＞
本開示の実施形態について説明する。本実施形態の眼内レンズ度数決定装置は、被検眼に挿入するための眼内レンズの度数を決定するための装置である。本装置は、例えば、断層撮影部（例えば、ＯＣＴデバイス５）と、演算制御部（例えば、制御部８０）を備える。断層撮影部は、被検眼の前眼部断層画像を撮影する。断層撮影部は、例えば、光干渉断層計、シャインプルークカメラ等であってもよい。前眼部断層画像は、前眼部を含む眼の画像であってもよいし、角膜から網膜までの全眼画像に含まれる前眼部断層画像であってもよい。また、前眼部断層画像は、２次元の前眼部断層画像の集合である３次元画像であってもよい。
【００１１】
演算制御部は、例えば、前眼部断層画像を解析して、眼内レンズの度数を算出する。例えば、演算制御部は、前眼部断層画像を画像解析することによって水晶体の前面カーブまたは後面カーブを算出する。前面カーブは、例えば、水晶体前面に沿う曲線である。同様に、後面カーブは、例えば、水晶体後面に沿う曲線である。演算制御部は、被検眼に挿入する前のＩＯＬの支持部を含む全長（支持部全長ともいう）と同じ長さを有する線分の両端点と、前面カーブまたは後面カーブとが交わる位置に基づいて術後予測前房深度（Effective Lens Position：ＥＬＰ）を決定する。ＥＬＰは、被検眼の光軸方向（Ｚ方向）の位置である。なお、交差する位置は、厳密でなくともよく、交差する位置の近傍であってもよい。演算制御部は、決定した術後予測前房深度を用いてＩＯＬ度数を算出する。
【００１２】
演算制御部は、例えば、支持部全長を示す線分の両端が前面カーブと交わる第１の位置（例えば、位置Ｐ１）と、線分の両端が後面カーブと交わる第２の位置（例えば、位置Ｐ２）を算出し、第１の位置と、第２の位置との間の位置に基づいて術後予測前房深度を決定してもよい。例えば、第１の位置と、第２の位置との中間の位置（例えば、位置Ｐ３）に基づいて術後予測前房深度が決定されてもよいし、第１の位置と、第２の位置の所定の割合で決められた位置に基づいて決定されてもよい。もちろん、第１の位置または第２の位置に基づいてＥＬＰを決定してもよい。
【００１３】
以上のように、ＩＯＬの全長を考慮して術後予測前房深度を推定することによって、より適正に眼内レンズ度数を決定することができる。
【００１４】
なお、被検眼に挿入される眼内レンズの支持部全長の数値を取得するための全長取得部（例えば、制御部８０）を備えてもよい。例えば、全長取得部は、メモリ（例えば、メモリ８５）に保存された支持部全長を取得してもよいし、操作部（例えば、操作部８４）から検者の入力を受け付けることによって取得してもよいし、他の装置から取得してもよい。なお、全長取得部は、ＩＯＬの全長以外の設計値を取得してもよい。例えば、ＩＯＬの光学部径、支持部角度等を取得してもよい。この場合、演算制御部は、これらの設計値をＥＬＰの推定に用いてもよい。
【００１５】
＜実施例＞
以下、本開示に係る前眼部撮影装置２００を図面に基づいて説明する。図１は本実施例に係る前眼部撮影装置２００の光学系について示す概略構成図である。なお、以下の光学系は、図示無き筐体に内蔵されている。また、その筐体は、周知のアライメント移動機構の駆動により、操作部材（例えば、ジョイスティック）を介して被検眼Ｅに対して３次元的に移動される。なお、以下の説明においては、被検者眼（眼Ｅ）の光軸方向をＺ方向、水平方向をＸ方向、鉛直方向をＹ方向として説明する。眼底の表面方向をＸＹ方向として考えても良い。
【００１６】
以下の説明においては、光コヒーレンストモグラフィーデバイス（ＯＣＴデバイス）５と、角膜形状測定デバイス３００と、を備えた前眼部撮影装置２００を例に挙げて説明する。
【００１７】
ＯＣＴデバイス５は、被検眼Ｅの断面像を撮影するための前眼部撮像デバイスとして用いられる。ＯＣＴデバイス５は、眼Ｅの眼軸長を測定するために用いられてもよい。角膜形状測定デバイス３００は、角膜形状を測定するために用いられる。なお、ＯＣＴデバイス５は、前眼部断層像（断面像）撮影用の光コヒーレンストモグラフィーデバイスを例にとって説明する。
【００１８】
ＯＣＴデバイス５は、干渉光学系（ＯＣＴ光学系）１００を備えている。ＯＣＴ光学系１００は、眼Ｅに測定光を照射する。ＯＣＴ光学系１００は、前眼部上（例えば、角膜、水晶体など）から反射された測定光と，参照光との干渉状態を受光素子（検出器１２０）によって検出する。ＯＣＴ光学系１００は、前眼部上の撮像位置を変更するため、前眼部上における測定光の照射位置を変更する照射位置変更ユニット（例えば、光スキャナ１０８）を備える。制御部８０は、設定された撮像位置情報に基づいて照射位置変更ユニットの動作を制御し、検出器１２０からの受光信号に基づいて断層画像を取得する。
【００１９】
ＯＣＴ光学系１００は、いわゆる眼科用光断層干渉計（ＯＣＴ：Optical coherence tomography）の装置構成を持つ。ＯＣＴ光学系１００は、測定光源１０２から出射された光をカップラー（光分割器）１０４によって測定光（試料光）と参照光に分割する。そして、ＯＣＴ光学系１００は、測定光学系１０６によって測定光を前眼部に導き，また、参照光を参照光学系１１０に導く。その後、前眼部によって反射された測定光と，参照光との合成による干渉光を検出器（受光素子）１２０に受光させる。
【００２０】
光源１０２から出射された光は、カップラー１０４によって測定光束と参照光束に分割される。そして、測定光束は、光ファイバーを通過した後、空気中へ出射される。その光束は、光スキャナ１０８、及び測定光学系１０６の他の光学部材を介して前眼部に集光される。そして、前眼部で反射された光は、同様の光路を経て光ファイバーに戻される。
【００２１】
光スキャナ１０８は、眼Ｅ上でＸＹ方向（横断方向）に測定光を走査させる。光スキャナ１０８は、例えば、２つのガルバノミラーであり、その反射角度が駆動機構１０９によって任意に調整される。
【００２２】
これにより、光源１０２から出射された光束はその反射（進行）方向が変化され、眼Ｅ上で任意の方向に走査される。これにより、前眼部上における撮像位置が変更される。光スキャナ１０８としては、光を偏向させる構成であればよい。例えば、反射ミラー（ガルバノミラー、ポリゴンミラー、レゾナントスキャナ）の他、光の進行（偏向）方向を変化させる音響光学素子（ＡＯＭ）等が用いられる。
【００２３】
参照光学系１１０は、眼Ｅでの測定光の反射によって取得される反射光と合成される参照光を生成する。参照光学系１１０は、マイケルソンタイプであってもよいし、マッハツェンダタイプであっても良い。参照光学系１１０は、例えば、反射光学系（例えば、参照ミラー）によって形成され、カップラー１０４からの光を反射光学系により反射することにより再度カップラー１０４に戻し、検出器１２０に導く。他の例としては、参照光学系１１０は、透過光学系（例えば、光ファイバー）によって形成され、カップラー１０４からの光を戻さず透過させることにより検出器１２０へと導く。
【００２４】
参照光学系１１０は、参照光路中の光学部材を移動させることにより、測定光と参照光との光路長差を変更する構成を有する。例えば、参照ミラーが光軸方向に移動される。光路長差を変更するための構成は、測定光学系１０６の測定光路中に配置されてもよい。
【００２５】
検出器１２０は、測定光と参照光との干渉状態を検出する。フーリエドメインＯＣＴの場合では、干渉光のスペクトル強度が検出器１２０によって検出され、スペクトル強度データに対するフーリエ変換によって所定範囲における深さプロファイル（Ａスキャン信号）が取得される。ここで、制御部８０は、光スキャナ１０８により測定光を前眼部上で所定の横断方向に走査することにより断層像を取得できる。すなわち、被検眼の前眼部断層像を撮像する。例えば、Ｘ方向もしくはＹ方向に走査することにより、被検眼前眼部のＸＺ面もしくはＹＺ面における断層像（前眼部断層像）を取得できる（なお、本実施形態においては、このように測定光を前眼部に対して一次元走査し、断層像を得る方式をＢスキャンとする）。なお、取得された前眼部断層像は、制御部８０に接続されたメモリ８５に記憶される。さらに、測定光をＸＹ方向に二次元的に走査することにより、被検眼前眼部の三次元画像を取得することも可能である。
【００２６】
例えば、フーリエドメインＯＣＴとしては、Spectral-domain OCT（ＳＤ−ＯＣＴ）、Swept-source OCT（ＳＳ−ＯＣＴ）が挙げられる。また、Time-domain OCT（ＴＤ−ＯＣＴ）であってもよい。
【００２７】
ＳＤ−ＯＣＴの場合、光源１０２として低コヒーレント光源（広帯域光源）が用いられ、検出器１２０には、干渉光を各周波数成分（各波長成分）に分光する分光光学系（スペクトルメータ）が設けられる。スペクトルメータは、例えば、回折格子とラインセンサからなる。
【００２８】
ＳＳ−ＯＣＴの場合、光源１０２として出射波長を時間的に高速で変化させる波長走査型光源（波長可変光源）が用いられ、検出器１２０として、例えば、単一の受光素子が設けられる。光源１０２は、例えば、光源、ファイバーリング共振器、及び波長選択フィルタによって構成される。そして、波長選択フィルタとして、例えば、回折格子とポリゴンミラーの組み合わせ、ファブリー・ペローエタロンを用いたものが挙げられる。
【００２９】
角膜形状測定デバイス３００は、ケラト投影光学系５０、アライメント投影光学系４０、前眼部正面撮像光学系３０、に大別される。
【００３０】
ケラト投影光学系５０は、測定光軸Ｌ１を中心に配置されたリング状の光源５１を有し、被検眼角膜にリング指標を投影して角膜形状（曲率、乱視軸角度、等）を測定するために用いられる。なお、光源５１には、例えば、赤外光または可視光を発するＬＥＤが使用される。なお、投影光学系５０について、光軸Ｌ１を中心とする同一円周上に少なくとも３つ以上の点光源が配置されていればよく、間欠的なリング光源であってもよい。さらに、複数のリング指標を投影するプラチド指標投影光学系であってもよい。
【００３１】
アライメント投影光学系４０は、光源５１の内側に配置され、赤外光を発する投影光源４１（例えば、λ＝９７０ｎｍ）を有し、被検眼角膜Ｅｃにアライメント指標を投影するために用いられる。そして、角膜Ｅｃに投影されたアライメント指標は、被検眼に対する位置合わせ（例えば、自動アライメント、アライメント検出、手動アライメント、等）に用いられる。本実施形態において、投影光学系５０は、被検者眼角膜Ｅｃに対してリング指標を投影する光学系であって、リング指標は、マイヤーリングも兼用する。また、投影光学系４０の光源４１は、前眼部を斜め方向から赤外光にて照明する前眼部照明を兼用する。なお、投影光学系４０において、さらに、角膜Ｅｃに平行光を投影する光学系を設け、投影光学系４０による有限光との組合せにより前後のアライメントを行うようにしてもよい。
【００３２】
前眼部正面撮像光学系３０は、前眼部正面像を撮像（取得）するために用いられる。前眼部正面撮像光学系３０は、ダイクロイックミラー３３、対物レンズ４７、ダイクロイックミラー６２、フィルタ３４、撮像レンズ３７、二次元撮像素子３５、を含み、被検眼の前眼部正面像を撮像するために用いられる。二次元撮像素子３５は、被検眼前眼部と略共役な位置に配置されている。
【００３３】
前述の投影光学系４０、投影光学系５０による前眼部反射光は、ダイクロイックミラー３３、対物レンズ４７、ダイクロイックミラー６２、フィルタ３４、及び撮像レンズ３７を介して二次元撮像素子３５に結像される。
【００３４】
光源１は、固視灯である。また、例えば、光源１から発せられた光の前眼部での反射により取得される前眼部反射光の一部は、ダイクロイックミラー３３で反射され、前眼部正面撮像光学系３０で結像される。
【００３５】
次に、制御系について説明する。制御部８０は、装置全体の制御及び測定結果の算出を行う。制御部８０は、ＯＣＴデバイス５の各部材、角膜形状測定デバイス３００の各部材、モニタ７０、操作部８４、メモリ８５、等と接続されている。
【００３６】
また、操作部８４には、操作入力部として、マウス等の汎用インターフェースが用いられてもよいし、その他、タッチパネルが用いられてもよい。
【００３７】
なお、メモリ８５には、各種制御プログラムの他、制御部８０が前眼部画像解析を行う解析プログラム等が記憶されている。
【００３８】
＜制御動作＞
以上のような構成を備える装置において、眼内レンズ度数を決定するときの制御動作について説明する。検者は、モニタ７０に表示される被検眼のアライメント状態を見ながら、図示なきジョイスティック等の操作手段を用いて、装置を上下左右及び前後方向に移動させ、装置を被検眼Ｅに対して所定の位置関係に置く。この場合、検者は、固視標を被検眼に固視させる。
【００３９】
アライメントの際には、光源４１及び光源５１が点灯される。ここで、検者は、図２に示すように、モニタ７０に電子的に表示されたレチクルＬＴと、光源４１によるリング指標と、が同心円状になるように上下左右のアライメントを行う。これによって、被検眼の角膜頂点に本装置の光軸Ｌ１が通るようにＸＹ方向にアライメントされる。また、検者は、リング指標Ｒ１のピントが合うように、前後のアライメントを行う。なお、リング指標Ｒ１の外側には、光源５１によるリング指標Ｒ２が表示されている。
【００４０】
前眼部に対するアライメントが完了されると、制御部８０は、前眼部正面撮像光学系３０によって被検眼の前眼部を撮影する。また、制御部８０は、予め設定された走査パターンに基づき、ＯＣＴ光学系１００によって被検眼の複数断面の断層画像５００を撮影する（図３参照）。取得された前眼部画像および断層画像は、メモリ８５等に記憶される。
【００４１】
制御部８０は、メモリ８５に記憶された前眼部画像４００におけるリング指標像Ｒ１及びＲ２に基づいて被検眼の角膜形状をそれぞれ算出する。角膜形状とは、例えば、強主経線方向及び弱主経線方向における角膜前面の角膜曲率半径、角膜の乱視軸角度等である。また、制御部８０は、ＯＣＴデバイス５を用いて撮影された断層画像を解析する。例えば、制御部８０は、断層画像のエッジ検出によって角膜、水晶体などの位置を検出する。また、制御部８０は、検出された角膜または水晶体の境界上の点を複数通る曲線を求め、この近似曲線に基づいて角膜後面の角膜曲率半径、前房深度、角膜厚、水晶体前面曲率、水晶体後面曲率、水晶体厚等を測定する。さらにＯＣＴ光学系によって網膜まで撮影することができる場合は、眼軸長を測定する。
【００４２】
制御部８０は、既知であるＳＲＫ／Ｔ式、Ｂｉｎｋｈｏｒｓｔ式等に上記の測定データを代入して眼内レンズ度数を算出する。例えば、Ｂｉｎｋｈｏｒｓｔ式（下記の式（１））を用いる場合、角膜曲率半径、眼軸長、後述のＥＬＰ、レンズ定数等のパラメータを用いて眼内レンズ度数が計算される。
【００４３】
【数１】
2018019915.tif 000003
ここで、AL’=AL＋B−T×(1−N2/N3)、N1：角膜の屈折力(＝4/3(＝1.333…))、N2：房水および硝子体の屈折力(＝1.336)、N3：IOLの屈折率(＝1.49)、B：硝子体と網膜の境界面から視細胞までの距離(＝0.25 mm)、T：移植するIOLの厚み(＝0.5 mm)、RD：屈折距離(＝6 m)、R：角膜曲率半径[mm]、R＝(nk−1.000)×1000/K、nk：パラメータ設定で選択される屈折率、AD：予測術後前房深度(ACD)[mm]、AL：眼軸長[mm]、DR：術後希望する矯正用レンズの屈折力[D](＋値：遠視,−値：近視)、VD：頂点距離である。
【００４４】
＜ＥＬＰ推定＞
以下、眼内レンズ度数決定に必要なＥＬＰの算出について説明する。本実施例の制御部８０は、ＩＯＬの支持部全長を用い、より効果的にＥＬＰを算出する。
【００４５】
まず、制御部８０は、挿入するＩＯＬの支持部全長の数値を取得する。例えば、制御部８０は、操作部８４から入力された数値からＩＯＬの支持部全長を取得する。メモリ８５に眼内レンズのモデル毎の情報が記憶されている場合、制御部８０は、被検眼に挿入する眼内レンズの情報をメモリ８５から読み出すことでＩＯＬの支持部全長を取得してもよい。
【００４６】
ＩＯＬの支持部全長を取得すると、例えば、制御部８０は、挿入前のＩＯＬの支持部全長と、水晶体ＥＬの形状に基づいて、ＥＬＰを算出する。例えば、図４に示すように、水晶体ＥＬの光軸Ｌ２と眼内レンズの光軸Ｌ３が一致する状態で、支持部全長φの両端が水晶体ＥＬの前面カーブＦ１に一致するときのＺ方向の位置Ｐ１に基づいてＥＬＰを推定してもよい。例えば、制御部８０は、位置Ｐ１に支持部先端が位置するときのＩＯＬの光学部の位置をＥＬＰとして推定してもよい。眼内レンズの支持部先端に対する光学部の位置は、眼内レンズのモデル毎に決まっているため、例えば、制御部８０は、支持部全長、支持部角度、光学部径などの設計値をメモリ８５から読み出し、支持部先端に対する光学部の位置を算出してもよい。なお、位置Ｐ１よりも水晶体前面側では、嚢から支持部（ループ）に加わる反力が大きくなると考えられるため、制御部８０は、位置Ｐ１よりも後面側の位置に支持部先端が位置するものとしてＥＬＰを推定してもよい。
【００４７】
また、制御部８０は、支持部全長φの両端が水晶体ＥＬの後面カーブＦ２に一致するときの位置Ｐ２に基づいてＥＬＰを推定してもよい。なお、位置Ｐ２よりも水晶体後面側では、嚢から支持部に加わる反力が大きくなると考えられるため、制御部８０は、位置Ｐ２よりも前面側の位置に支持部先端が位置するものとしてＥＬＰを推定してもよい。
【００４８】
なお、位置Ｐ１から位置Ｐ２の範囲内は、支持部に加わる反力が比較的小さく、支持部が定着しやすいと考えられるため、制御部８０は、位置Ｐ１と位置Ｐ２の間に支持部先端が位置するとしてＥＬＰを推定してもよい。これによって、術後に水晶体嚢が収縮し、眼内レンズの位置が変動する場合であっても適正なＥＬＰを推定することができる。なお、例えば、ＥＬＰは、位置Ｐ１と位置Ｐ２の中間の位置Ｐ３に支持部先端が位置するときの光学部の位置とされてもよいし、位置Ｐ１と位置Ｐ２との間で所定の割合によって決まる位置に支持部先端が位置するときの光学部の位置とされてもよい。上記のようにして推定されたＥＬＰは、例えば、式（１）のADに代入され、眼内レンズ度数が計算される。
【００４９】
以上のように、本実施例の眼内レンズ度数決定装置は、ＩＯＬの支持部を含む全長を考慮することによって、好適なＥＬＰを推定し、眼内レンズの度数算出が有利に行える。
【００５０】
なお、本実施例においては、前眼部断面像を撮像する前眼部撮像デバイスとして、前眼部断層像（断面像）撮影用の光コヒーレンストモグラフィーデバイスを例に挙げたがこれに限定されない。光源からの出射光を被検眼前眼部に向けて投光し、前眼部上に光切断面を形成させる投光光学系と、光切断面の前眼部での散乱により取得される前眼部散乱光を含む光を受光する検出器を有する受光光学系と、を有し、検出器からの検出信号に基づいて前眼部断面画像を形成する構成であればよい。すなわち、検眼の前眼部にスリット光を投影し、シャインプルークカメラにより前眼部断面画像を得る装置等にも適用可能である。
【００５１】
さらに、シャインプルークカメラを回転させたり、水平または垂直方向に移動させたりすることにより前眼部の３次元形状画像を取得する装置にも適用可能である。この場合、所定の回転角度毎にずれ補正を行うことによって、精度よく前眼部の３次元形状画像を取得することが可能となり、３次元形状画像より取得される測定値の精度が良くなる。この場合、撮像面（スリット断面）に対して垂直な方向の位置ずれが検出され、その検出結果に基づいてずれ補正処理が行われる。
【００５２】
なお、上記実施例の機能を行う眼内レンズ度数決定ソフトウェア（プログラム）をネットワークや各種記憶媒体を介して、システムあるいは装置に供給してもよい。この場合、システムあるいは装置のコンピュータ（例えば、ＣＰＵ等）にプログラムを読み出させ、実行させてもよい。
【符号の説明】
【００５３】
５  光コヒーレンストモグラフィーデバイス
３０  前眼部正面撮像光学系
４０  アライメント投影光学系
５０  ケラト投影光学系
７０  モニタ
８０  制御部
８５  メモリ
８４  操作部
【図１】
2018019915.tif 000004
【図２】
2018019915.tif 000005
【図３】
2018019915.tif 000006
【図４】
2018019915.tif 000007